(57)【要約】【課題】  機種により機能が異なっていても使用する目的範囲を同じくする電子機器、例えば、映像機器などにおいて、機器固有の機能を紹介する自己紹介機能の表示や機器固有の機能に基づいたメニュー画面を容易に作成して表示できる電子機器を提供する。【解決手段】  予め多種類の機器の機能情報を記憶しており、自機器固有の機能情報に第１のフラグを付し、自機器固有の機能情報以外の機能情報には第２のフラグを付して記憶している機能情報用メモリと、機能情報用メモリから機能情報に付されたフラグに基づいて自機器固有の機能情報を抽出し、該抽出した自機器固有の機能情報をもとにして自機器固有の機能に関連した表示データを作成するデータ作成手段と、データ作成手段で作成した表示データを画面表示させることができるデータ表示手段とを備えた構成とする。【選択図】  図１
2004289859.tif 000002
【特許請求の範囲】
【請求項１】
予め多種類の機器の機能情報を記憶しており、自機器固有の機能情報に第１のフラグを付し、前記自機器固有の機能情報以外の機能情報には第２のフラグを付して記憶している機能情報用メモリと、
前記機能情報用メモリから前記機能情報に付されたフラグに基づいて前記自機器固有の機能情報を抽出し、該抽出した自機器固有の機能情報をもとにして自機器固有の機能に関連した表示データを作成するデータ作成手段と、
前記データ作成手段で作成した表示データを画面表示させることができるデータ表示手段と、を備えていること
を特徴とする機能情報用メモリを備えた電子機器。
【請求項２】
前記データ作成手段は、前記機能情報用メモリから抽出した自機器固有の機能情報に基づいてメニュー画面データを作成すること
を特徴とする請求項１に記載の機能情報用メモリを備えた電子機器。
【請求項３】
前記機能情報用メモリは、前記機能情報に付されたフラグを書き換えることができるメモリで形成されていること
を特徴とする請求項１に記載の機能情報用メモリを備えた電子機器。
【発明の詳細な説明】
【技術分野】
【０００１】
本発明は、電子機器の機能情報を記憶するメモリを備えた電子機器に関するものであり、例えばＥＥＰＲＯＭなどのメモリに書き込まれた機器の機能情報に基づいて、機器固有の機能を紹介するための表示データや、モード設定等のメニュー画面を作成して画面表示するようにした映像機器などの電子機器に関するものである。
【背景技術】
【０００２】
従来技術における機能情報用メモリを備えた電子機器、特に映像機器１は、図４にその概略構成を示すように、レンズ２と、ＣＣＤ３と、タイミング信号発生部４と、同期信号発生部５と、カメラ信号プロセス部６と、混合器７と、ＥＶＦ１０と、マイコン１２と、キー入力部１３と、ＥＥＰＲＯＭ１４とから構成されている。
このように構成された映像機器の接続状態は以下のようになっている。
【０００３】
即ち、撮影するためのレンズ２を介して得られた映像は、ＣＣＤ３により解像されて取り込まれる。このＣＣＤ３には解像するためのタイミング信号発生部４が接続されている。
【０００４】
このタイミング信号発生部４には、ＣＣＤ３で解像するための同期信号を発生させる同期信号発生部５が接続されている。
【０００５】
カメラ信号プロセス部６は、ＣＣＤ３で得られたデータを映像信号に解読するものであり、その入力側はＣＣＤ３に接続され、その出力側は混合器７に接続されている。
【０００６】
混合器７は、再生された映像信号に文字情報等を重畳させてスーパーインポーズさせるものであり、その入力側はカメラ信号プロセス部６とＯＳＤＣ９とに接続し、その出力側はビデオ信号プロセス部８に接続されている。
【０００７】
ビデオ信号プロセス部８は、映像信号をビデオ信号にするものであり、その出力側はビューフアインダー、即ちＥＶＦ（Ｅｌｅｃｔｒｉｃａｌ  Ｖｉｅｗ  Ｆｉｎｄｅｒ）１０と、ビデオ信号出力端子（Ｖｉｄｅｏ  Ｏｕｔ端子）１１に接続されている。
【０００８】
ＯＳＤＣ（Ｏｎ  Ｓｃｒｅｅｎ  Ｄｉｓｐｌａｙ  Ｃｏｎｔｏｒｏｌｌｅｒ）９は、文字等のキャラクタを発生させるクロックであり、その入力側はマイコン１２に接続されている。
【０００９】
マイコン１２は、キー操作、機器の機能情報等を制御するものであり、その入力側はキー入力部１３及びＥＥＰＲＯＭ１４に接続されている。
【００１０】
キー入力部１３は、映像機器に操作釦を制御するものであり、マイコン１２に接続されている。
【００１１】
ＥＥＰＲＯＭ１４は、所謂機能情報用メモリであり、書き換え可能なＲＯＭに機器の機能情報が書き込まれており、マイコン１２に接続されている。
【００１２】
このような構成からなる映像機器１は、例えば店頭などで機器固有の機能を紹介する場合には夫々機種毎に作成された独自の自己紹介機能によりＥＶＦ１０やＣＲＴ上に表示する。
【００１３】
又、映像機器１において、モード設定は、ＥＶＦ１０やＣＲＴ上に表示されたメニューを用いて設定することが広く周知となっている。
【発明の開示】
【発明が解決しようとする課題】
【００１４】
しかしながら、機種の異なる電子機器、特に映像機器においては、一般的にその機能が異なっているため、機器固有の機能を紹介するためには、夫々機種毎に自己紹介機能を作成しなくてはならず、自己紹介表示システムの共通化が図れないと云う問題点があった。
【００１５】
又、表示されたメニューによりモード設定を行う場合でも、機種により機能が夫々異なるため、その機能の差異によりその項目内容、項目数が異なることが多く、機種毎にメニュー画面を作成する必要があり、メニュー画面等の作成のためのシステム共通化が図れないと云う問題点もあった。
【００１６】
更に、メニューの項目内容、項目数を容易に変更することができないため、システムの共通化が図れないと云う問題点もあった。
【００１７】
従って、使用する目的範囲を同じくする電子機器で、機種により機能が異なっていても、機器固有の機能を紹介する自己紹介機能の表示や機器固有の機能に基づいたメニュー画面を容易に作成して表示できるようにすることに解決しなければならない課題を有している。
【課題を解決するための手段】
【００１８】
上記課題を解決するために、本発明に係る機能情報用メモリを備えた電子機器は、予め多種類の機器の機能情報を記憶しており、自機器固有の機能情報に第１のフラグを付し、前記自機器固有の機能情報以外の機能情報には第２のフラグを付して記憶している機能情報用メモリと、前記機能情報用メモリから前記機能情報に付されたフラグに基づいて前記自機器固有の機能情報を抽出し、該抽出した自機器固有の機能情報をもとにして自機器固有の機能に関連した表示データを作成するデータ作成手段と、前記データ作成手段で作成した表示データを画面表示させることができるデータ表示手段とを備えた構成とする。
【００１９】
また、前記データ作成手段は、前記機能情報用メモリから抽出した自機器固有の機能情報に基づいてメニュー画面データを作成することができる機能情報用メモリを備えた電子機器である。
【００２０】
前記機能情報用メモリは、前記機能情報に付されたフラグを書き換えることができるメモリで形成されていることを特徴とする機能情報用メモリを備えた電子機器である。
【００２１】
上記構成により、機能情報用メモリに記憶してある機能情報に付されたフラグに基づいて自機器固有の機能情報を抽出し、抽出した自機器固有の機能情報をもとにして機器固有の機能を紹介する自己機能紹介用の表示データを作成して表示させたり、機器固有な機能を設定するためのメニュー画面を作成、表示してモード設定に使用することができるので、使用する目的範囲を同じくする電子機器の機能情報用メモリを共通化し、自己機能紹介用の表示データやメニュー画面作成のためのシステム構成を共通化することができる。
【発明の効果】
【００２２】
以上説明した構成にすることにより、本発明に係る機能情報用メモリを備えた電子機器は、下記に示す効果を奏する。
【００２３】
自機器固有の機能情報とそれ以外の機能情報にそれぞれ別のフラグを付けて記憶した機能情報用メモリを設けることにより、異なる機種であっても必要とする情報の選別をフラグによって簡単に行うことができるので、使用する目的範囲を同じくする電子機器の機能情報用メモリを共通化できると云う極めて優れた効果を奏する。
【００２４】
また、上記機能情報用メモリの機能情報に付されたフラグに基づいて自機器固有の機能情報を抽出し、抽出した自機器固有の機能情報をもとにして自機器固有の機能に関連した表示データを作成し、画面表示させることができる機構を設けることにより、機器固有の機能紹介用のデータを作成、表示したり、モード設定に必要とするメニュー画面を作成、表示する等のシステム構成の共通化を図ることが容易になると云う極めて優れた効果を奏する。
【００２５】
また、機能情報用メモリは、機能情報に付されたフラグを書き換えることができるＥＥＰＲＯＭなどで形成することにより、記憶されている機能情報の変更をきわめて簡単に行うことができ、容易に自己機能紹介用のデータやメニュー画面の表示内容を変更することができると云う極めて優れた効果を奏する。
【００２６】
例えば、電子機器が映像機器などであれば、機種の異なる映像機器全般の機能情報の表示制御をシステム化して構成の簡略化を図ることができると云う極めて優れた効果を奏する。
【００２７】
また、表示データ作成機構により作成した機器固有の機能紹介用のデータやメニュー画面をビューフアインダー上、或いはＣＲＴ上に表示すれば、別途表示する装置を必要とすることなく機器構成の簡略化を図ることができると云う極めて優れた効果を奏する。
【発明を実施するための最良の形態】
【００２８】
以下、本発明に係る機能情報用メモリを備えた電子機器、特に映像機器に関する実施例について、図面を参照にして以下詳細に説明する。
尚、機能情報用メモリを備えた電子機器、特に映像機器全体の構成は、図４で示した従来技術と同一であるので、同一番号を付して、その説明は省略する。
【００２９】
本発明に係る機能情報用メモリを備えた電子機器である映像機器１Ｂは、ＥＥＰＲＯＭ１４に書き込まれている機器の機能情報に基づいてメニュー画面を作成するものであり、図１に示すように、ＥＥＰＲＯＭ１４と、メニュー作成機構１７と、ＣＣＤ３と、混合器７と、ＥＶＦ１０とから構成され、その接続状態は下記に示すようになっている。
【００３０】
ＥＥＰＲＯＭ１４は、機器の機能を示す機能情報にフラグを付けて記憶している機能情報用メモリであり、適宜メニュー作成機構１７に供給するようになっている。
【００３１】
メニュー作成機構１７は、メニュー項目記憶ＲＡＭ１８と、表示データ作成機構１９と、ＯＳＤＣ９とから構成されている。
【００３２】
メニュー項目記憶ＲＡＭ１８は、夫々の機器に必要とする機能情報を記憶しておくメモリであり、ＥＥＰＲＯＭ１４から供給され、表示データ作成機構１９に機器固有の機能情報を供給する。
【００３３】
表示データ作成機構１９は、機器固有の機能情報に基づいてメニュー画面を作成するものであり、その出力側はＯＳＤＣ９に接続されている。
【００３４】
ＯＳＤＣ９は、文字等のキャラクタを作成するものである。
【００３５】
このように構成された機能情報用メモリを備えた電子機器である映像機器１Ｂは、図２に示すように、例えばモード設定用のメニュー画面を作成する。
【００３６】
先ず、ＥＥＰＲＯＭ１４のメニュー項目情報を読み出し、メニュー作成機構１７のＲＡＭ１８に保存する（ＳＴ５）。
この保存は、図３に示すように、予め多種類の機器の機能情報をＥＥＰＲＯＭ１４内に記憶する際に、予め機器の機能情報にフラグを付けてある。
例えば、機器固有の機能には”１”のフラグ（第１のフラグ）を付け、それ以外には”０”のフラグ（第２のフラグ）を付けて保存してある。
【００３７】
従って、メニュー作成機構内ＲＡＭ１８に抽出するには、この”１”のフラグ（第１のフラグ）が立っている機能、例えば、「リモコン」、「お知らせブザー」、「Ｈｉ８」、・・・を抽出すれば機器固有のメニュー画面の作成が実現できる。このフラグは適宜設定変更できるようになっていることは勿論のことである。
【００３８】
もし、メニュー画面が選択されない場合には、メニュー作成機構内ＲＡＭ１８に保存された状態で終了する（ＳＴ６）。
【００３９】
もし、メニュー画面が選択された場合には、メニュー作成機構内ＲＡＭ１８の情報に基づいてメニュー画面を作成する（ＳＴ７）。
【００４０】
そして、作成されたメニュー画面をＯＳＤＣ９の表示用ＲＡＭに表示文字としてセットして適宜映像機器固有の機能情報を表示することができる（ＳＴ８）。
【００４１】
このようにして、多種類の機器の機能情報が保存されているＥＥＰＲＯＭ１４の中から、フラグに基づいて機器固有の機能情報を抽出し、抽出した機能情報をもとにして機器固有の機能を紹介する自己紹介用のデータを表示したり、機器固有な機能情報により画面メニューを作成してモード設定に使用することが極めて容易にできる。
【００４２】
そのため、たとえ、機種が異なる機器であっても使用する目的範囲を同じくする機器の機能情報用メモリを共用することが可能となり、例えば映像機器、ＴＶ等のＡＶ機器、ＯＡ機器等の機器固有の機能を紹介する自己紹介機能、モード設定に必要とするメニュー画面の作成等のシステム構築の共通化を図ることができるのである。
【図面の簡単な説明】
【００４３】
【図１】本発明に係る機能情報用メモリを備えた電子機器のメニュー作成機構の要部を示した説明図である。
【図２】同メニュー作成機構のメニュー画面の作成を示したフローチャート図である。
【図３】同機能情報用メモリにフラグを付けて保存してある機器の機能情報を示した説明図である。
【図４】従来技術の機能情報用メモリを備えた電子機器である映像機器の構成を示した略示的全体ブロック図である。明図である。
【符号の説明】
【００４４】
１、１Ｂ  映像機器
２    レンズ
３    ＣＣＤ
４    タイミング信号発生部
５    同期信号発生部
６    カメラ信号プロセス部
７    混合器
８    ビデオ信号プロセス部
９    ＯＳＤＣ
１０    ＥＶＦ
１１    Ｖｉｄｅｏ  Ｏｕｔ端子
１２    マイコン
１３    キー入力部
１４    ＥＥＰＲＯＭ
１７    メニュー作成機構
１８    メニュー項目記憶ＲＡＭ
１９    表示データ作成機構
【図１】
2004289859.tif 000003
【図２】
2004289859.tif 000004
【図３】
2004289859.tif 000005
【図４】
2004289859.tif 000006